(57)【要約】【課題】安全性を確保した上で、機器との接続回路構成を簡素化した印刷装置を提供しようとするものである。【解決手段】本発明は、本体装置が第１の電源部と第１の出力部とを有し、機器が、ケーブルを介して第１の電源部からの電力を入力する第１の入力部と、一端側が第１の入力部と接続する保護素子と、保護素子の他端側と接続して、保護素子からの電力を出力する第２の出力部と、入力された電力を駆動部に与える第２の入力部とを有し、ケーブルが、第１の出力部と第１の入力部とを接続する第１の接続部と、第２の出力部からの出力を第２の入力部に与えるものであって、機器の稼働状態に応じて第２の出力部と第２の入力部との接続切替を行う安全スイッチとを有することを特徴とする印刷装置である。【選択図】      図１
2015208917.tif 000002
【特許請求の範囲】
【請求項１】
本体装置と、
前記本体装置から電力供給を受けて動作する駆動部を有する機器と、
前記本体装置と前記機器とを接続する接続ケーブルと
を備え、
前記本体装置が
前記機器に電力を供給する第１の電源部と、
前記第１の電源部からの電力を出力する第１の出力部と
を有し、
前記機器が、
前記ケーブルを介して前記第１の電源部からの電力を入力する第１の入力部と、
一端側が前記第１の入力部と接続する保護素子と、
前記保護素子の他端側と接続して、前記保護素子からの電力を出力する前記第２の出力部と、
入力された電力を前記駆動部に与える第２の入力部と、
を有し、
前記ケーブルが、
前記第１の出力部と前記第１の入力部とを接続する第１の接続部と、
前記第２の出力部からの出力を前記第２の入力部に与えるものであって、前記機器の稼働状態に応じて前記第２の出力部と前記第２の入力部との接続切替を行う安全スイッチと
を有する
ことを特徴とする印刷装置。
【請求項２】
前記本体装置が、
第３の入力部と、
前記第１の電源部の電力供給を制御する制御部と
を有し、
前記ケーブルが、前記機器の第２の出力部と前記本体装置の前記第３の入力部とを接続する第２の接続部を有し、
前記制御部が、前記第３の入力部に入力された信号に応じて、前記第１の電源部の電力供給を制御するものである
ことを特徴とする請求項１に記載の印刷装置。
【請求項３】
前記本体装置が、
第２の電源部と、
前記第２の電源部の電力を出力する第３の出力部と、
グランドに接続する第４の入力部と
を有し、
前記ケーブルが、前記第３の出力部と前記第４の入力部とを接続する第３の接続部を有し、
前記制御部が、前記第２の電源部の電力の出力の有無の検出結果に基づいて前記ケーブルの接続の有無を判断するものである
ことを特徴とする請求項１又は２に記載の印刷装置。
【請求項４】
前記本体装置が、前記第１の電源部の電力を遮断する電力遮断部を有し、
前記本体装置の前記制御部が、前記第３の入力部に入力された信号に応じて、前記電力遮断部を制御するものである
ことを特徴とする請求項２又は３に記載の印刷装置。
【請求項５】
前記本端装置の前記制御部が、前記第３の入力部に入力された信号に応じて、電力モードの遷移を指示するものであることを特徴とする請求項２又は３に記載の印刷装置。
【発明の詳細な説明】
【技術分野】
【０００１】
本発明は、印刷装置に関するものである。
【背景技術】
【０００２】
従来、印刷装置の機能を拡張するために、オプション機器を印刷装置に追加的に搭載することがある（特許文献１参照）。一般的にはオプション機器に設けられているコネクタに、接続ケーブルを接続することで印刷装置とオプション機器とを接続している。
【先行技術文献】
【特許文献】
【０００３】
【特許文献１】特開２００６−７６７７０号公報
【発明の概要】
【発明が解決しようとする課題】
【０００４】
しかしながら、オプション機器の追加や取り外し又は交換等の際に、安全性を確保した上で、オプション機器の接続回路構成を簡素化することが求められている。
【０００５】
そこで、本発明は、安全性を確保した上で、オプション機器との接続回路構成を簡素化した印刷装置を提供しようとするものである。
【課題を解決するための手段】
【０００６】
かかる課題を解決するために、本発明は、本体装置と、本体装置から電力供給を受けて動作する駆動部を有する機器と、本体装置と機器とを接続する接続ケーブルとを備え、本体装置が機器に電力を供給する第１の電源部と、第１の電源部からの電力を出力する第１の出力部とを有し、機器が、ケーブルを介して第１の電源部からの電力を入力する第１の入力部と、一端側が第１の入力部と接続する保護素子と、保護素子の他端側と接続して、保護素子からの電力を出力する第２の出力部と、入力された電力を駆動部に与える第２の入力部とを有し、ケーブルが、第１の出力部と第１の入力部とを接続する第１の接続部と、第２の出力部からの出力を第２の入力部に与えるものであって、機器の稼働状態に応じて第２の出力部と第２の入力部との接続切替を行う安全スイッチとを有することを特徴とする印刷装置である。
【発明の効果】
【０００７】
本発明によれば、安全性を確保した上で、オプション機器との接続回路構成を簡素化することができる。
【図面の簡単な説明】
【０００８】
【図１】第１の実施形態に係るＭＦＰ装置の概略的な内部構成を示す内部構成図である。
【図２】第１の実施形態に係るＭＦＰ装置のステープラユニットへの電源供給に関する接続関係を説明する説明図である。
【図３】第１の実施形態に係るステープラユニットと画像記録制御部と接続ケーブルの構成を示すブロック図である。
【図４】第１の実施形態に係るＭＦＰ装置における動作を示すフローチャートである。
【図５】第２の実施形態に係るＭＦＰ装置のステープラユニットへの電源供給に関する接続関係を説明する説明図である。
【図６】第２の実施形態に係るステープラユニットと画像記録制御部と接続ケーブルの構成を示すブロック図である。
【図７】第２の実施形態に係るＭＦＰ装置における動作を示すフローチャートである。
【発明を実施するための形態】
【０００９】
（Ａ）第１の実施形態
以下では、本発明に係る印刷装置の第１の実施形態を、図面を参照しながら詳細に説明する。
【００１０】
第１の実施形態では、マルチファンクションペリフェラル（以下、ＭＦＰと呼ぶ。）装置に本発明を適用する場合を例示して説明する。なお、本発明に係る印刷装置は、ＭＦＰ装置に限定されるものではない。本発明に係る印刷装置は、電子写真方式のカラープリンタやモノクロプリンタ、ＦＡＸ装置等に広く適用することができる。
【００１１】
（Ａ−１）第１の実施形態の構成
図１は、第１の実施形態に係るＭＦＰ装置１０１の概略的な内部構成を示す内部構成図である。
【００１２】
図１において、第１の実施形態に係るＭＦＰ装置１０１は、大別して、画像読取部１０２、画像記録部１０４、電力供給部１０６、オプション機器としてのステープラユニット１０７を有する。
【００１３】
画像読取部１０２は、画像読取制御部１０３の制御の下、原稿を読み取り画像情報にするものである。また、画像読取部１０２は、スキャナユニット１２２、オペレーションパネル１２３を有する。
【００１４】
画像読取制御部１０３は、オペレーションパネル１２３を通じてユーザー操作による操作指示情報に基づいて、スキャナユニット１２２によるスキャナ機能、スキャナユニット１２２により読み取られたデータを用いたファクシミリ機能や電子メール機能等を制御するものである。また、画像読取制御部１０３は、印刷機能を実行させるために、画像読取部１０２により読み取られた画像情報を画像記録部１０４に与えるものである。
【００１５】
画像記録部１０４は、画像読取部１０２からの画像情報に基づいて、媒体に画像を印刷するものである。
【００１６】
画像記録部１０４は、媒体収容部としてのカセットトレイ８、ホッピングローラ９、印刷機構４〜７、転写装置としての転写ローラ４ｅ〜７ｅ、転写ベルト１１、駆動ローラ１１ａ、定着装置としての定着器１２、カバー１３、スタッカ部１３ａを有する。
【００１７】
カセットトレイ８は、印刷媒体１８を収容するものである。ホッピングローラ９は、カセットトレイ８に収容されている印刷媒体１８を１枚ずつ繰り出すものである。印刷時に、ホッピングローラ９は、カセットトレイ８から印刷媒体１８を１枚ずつ繰り出して印刷媒体１８を搬送路に送り出す。
【００１８】
転写ベルト１１は、カセットトレイ８から繰り出された印刷媒体１８を、各印刷機構４〜７に向けて順番に搬送するものである。転写ベルト１１には、高圧電源３に接続されている転写ローラ４ｅ、５ｅ、６ｅ、７ｅがある。転写ベルト１１は、各作像装置４ａ、５ａ、６ａ、７ａと転写ローラ４ｅ、５ｅ、６ｅ、７ｅで印刷媒体１８を保持して搬送するものである。転写ベルト１１は駆動ローラ１１ａにより回転駆動する。
【００１９】
高圧電源３は、各作像装置４ａ、５ａ、６ａ、７ａおよび各転写ローラ４ｅ、５ｅ、６ｅ、７ｅ、駆動ローラ１１ａに電力を供給する電源部である。高圧電源３から電力が転写ローラ４ｅに供給されることで、転写ローラ４ｅや駆動ローラ１１が回転し、転写ベルト１１に保持されている印刷媒体１８は所定の位置へ搬送される。高原電圧３は、各作像装置４ａ、５ａ、６ａ、７ａおよび各転写ローラ４ｅ、５ｅ、６ｅ、７ｅに対し各々独立に高圧電力を供給する高圧回路で構成されており、各現像剤の色および作像装置４の装置位置に応じた電圧を印加するように制御する。
【００２０】
４個の印刷機構４〜７はそれぞれ、イエローの現像剤を用いた印刷機構４、マゼンダの現像剤を用いた印刷機構５、シアンの現像剤を用いた印刷機構６、ブラックの現像剤を用いた印刷機構７である。４個の印刷機構４〜７は、使用する現像剤の色が異なるが、同一又は対応する構成を有している。そのため、ここでは、イエローの現像剤を用いた印刷機構４を代表して説明する。
【００２１】
イエローの印刷機構４は、現像剤を収容する現像剤収容容器４ｆ、現像装置としての作像装置４ａ、画像読取部１０２からの画像情報に基づいて作像装置４ａの感光ドラムの表面に露光する露光装置としての露光器４ｂ、作像装置４ａに形成された現像剤像を印刷媒体１８に移す転写装置としての転写ローラ４ｅを有している。
【００２２】
作像装置４ａは、露光器４ｂにより露光された感光ドラムの表面上の静電潜像に現像剤収容容器４ｆからの現像剤を移して現像剤像を形成するものである。作像装置４ａは、画像記録部１０４から脱着可能であり、交換可能なものである。また、作像蔵置４ａの上方には現像剤収容容器４ｆがあり、現像剤収容容器４ｆは作像装置４ａから脱着可能に装着されている。また、作像装置４ａの下方には転写ベルト１１が回転可能に配置されている。
【００２３】
媒体搬送方向の下流には、定着器１２がある。定着器１２は、印刷媒体１８上に転写された現像剤像を印刷媒体１８上に定着するものである。定着器１８は、加熱及び圧力により印刷媒体１８上に画像を転写するため、加熱ローラ１２ａ及び圧接ローラ１２ｂを有している。
【００２４】
定着器１２により画像が定着された印刷媒体１８は、排出ローラにより排出されてスタッカ部１８に載置される。
【００２５】
画像記録部１０４の上部は、開閉可能なカバー１３が設けられている。カバー１３の底部には、上述した各露光器４ｂ、５ｂ、６ｂ、７ｂが取り付けられている。
【００２６】
また、ＭＦＰ装置１０１は、スイッチング電源である電力供給部１０６を有する。
【００２７】
電力供給部１０６は、定着器１２内の熱源、即ち、加熱ローラ１２ａ内のハロゲンランプに電力を供給すると共に、ＭＦＰ装置１０１全体へ電源供給を行うものである。
【００２８】
ステープラユニット１０７は、印刷された印刷物をステープル（綴じる）ものである。ステープラユニット１０７はオプション機器の一例である。上述したように、印刷された印刷媒体１８は画像記録部１０４から排出されてスタッカ部１３ａに載置される。その後、複数枚の印刷物がステープラユニット１０７のステープル位置にセットされ、ステープラユニット１０７が印刷物のセットを検知すると、ステープル動作を実行する。ステープラユニット１０７は、図１に示すように、画像読取部１０２と画像記録部１０４との間の支柱部分に設けられている。つまり、ステープラユニット１０７は、画像記録部１０４の搬送ルートとは別に設けられている。そのため、ユーザーが印刷物を手に持ちステープラユニット１０７にセットすることでステープル機能を利用できるようになっている。
【００２９】
図２は、第１の実施形態に係るＭＦＰ装置１０１のステープラユニット１０７への電源供給に関する接続関係を説明する説明図である。
【００３０】
図２に示すように、ＭＦＰ装置１０１において、電力供給部１０６は、画像記録部１０４を制御する画像記録制御部１０５と接続しており、ステープラユニット１０７は画像記録制御部１０５を介して電源供給されている。
【００３１】
画像記録制御部１０５は、電力供給部１０６から電力供給を受けて、上述した画像記録部１０４を構成する各構成要素を制御する。なお、図１の画像読取制御部１０３は電力供給部１０６から別の接続ラインで電力供給を受けており、画像読取部１０２の制御で必要な電力は、画像読取制御部１０３を介して供給される。
【００３２】
前述の通り、画像記録制御部１０５の電力は電力供給部１０６から供給されている。しかし、オプション機器としてのステープラユニット１０７は接続ケーブル１１３で画像記録制御部１０５と接続しており、ステープラユニット１０７は電力供給部１０６から供給を受けている。
【００３３】
図２に示すように、ステープラユニット１０７は、ステープラカバー１０８、ステープラモータ１０９、スタートスイッチ１１２、過電流保護素子１１０を有する。また、ステープラユニット１０７と画像記録制御部１０５とを接続する接続ケーブル１１３は、インターロックスイッチ１１１を有する。
【００３４】
ステープラスイッチ１０７は、画像記録制御部１０５からＤＣ２４Ｖの電力供給を受け、過電流保護素子１１０を経由して、インターロックスイッチ１１１とスタートスイッチ１１２とが直列に接続された後に、ステープラモータ１０９に接続されている。これにより、ステープラモータ１０９が回転することで、ステープラユニット１０７はステープル動作を行っている。
【００３５】
ステープラモータ１０９は、電力供給を受けて、ステープル動作を行うための駆動部である。
【００３６】
過電流保護素子１１０は、過電流が発生したときの発熱に伴って抵抗値を増加させて電流値を絞り、過電流を抑制するものである。過電流保護素子１１０は、例えばＰＣＴサーミスタ等を適用することができる。
【００３７】
例えば、ステープル対象の印刷物の枚数がステープル可能枚数よりも多かったり又は印刷物の厚さが厚かったりする場合にはステープラモータ１０９に負荷がかかる。ステープラモータ１０９がショート故障して回転動作ができなくなった場合に、ステープラユニット１０６に大電流が流れ、電力供給源である電力供給部１０６が破損してしまう可能性がある。そのため、被害をオプション機器であるステープラユニット１０７だけに留めるようにするため、ステープラユニット１０７の電源入力部に過電流保護素子１１０を設けている。
【００３８】
ＭＦＰ装置１０１の外装の一部に、ステープラカバー１０８が設けられている。
【００３９】
ステープラカバー１０８は、ユーザーがステープル動作を行う際に印刷物をガイドする目的とステープル動作時に指などを挟む危険を抑止するようガードする目的がある。そのため、ステープラカバー１０８はインターロックスイッチ１１１と連動しており、安全性を確保するために、ステープラカバー１０８の開閉状態に応じて、インターロックスイッチ１１１が接続切替を行い、ステープラユニット１０７の動作をＯＮ／ＯＦＦする。
【００４０】
つまり、ステープラカバー１０８は、インターロックスイッチ１１１と連動しており、ステープラカバー１０８が開状態では、インターロックスイッチ１１１がステープラモータ１０９への電力供給を遮断するよう動作し、ステープラカバー１０８が閉状態では、インターロックスイッチ１１１がステープラモーラ１０９への電力を導通させるように動作する。
【００４１】
スタートスイッチ１１２は、ステープル動作を開始させるためのスイッチであり、ステープラカバー１０８の内側に設けられている。スタートスイッチ１１２は、ステープル位置に印刷物がセットされたことを検知すると、ステープル動作を開始させる。
【００４２】
上記のように、ステープラユニット１０７は、電力供給部１０６から電力の供給を受け、過電流保護素子１１０が正常であり、ステープラカバー１０８が閉状態でインターロックスイッチ１１１がＯＮ状態であり、ユーザーにより印刷物がステープル位置にセットされてスタートスイッチ１１２がＯＮした場合に、正常なステープラモータ１０９が回転することでステープル動作が実行される。
【００４３】
ただし、スタートスイッチ１１２はステープラモータ１０９と連動しており、スタートスイッチ１１２がＯＮした状態が継続しても、ステープラモータ１０９が一定量回転し、ステープル動作が１回完了すると、スタートスイッチ１１２はＯＦＦを継続するように構成されている。そのため、ステープル動作後もステープラモータ１０９は回転を継続することはない。
【００４４】
図３は、第１の実施形態に係るステープラユニット１０７と画像記録制御部１０５と接続ケーブル１１３の構成を示すブロック図である。
【００４５】
上述したように、ステープラユニット１０７と画像記録制御部１０５とは、接続ケーブル１１３を介して接続している。
【００４６】
図３において、ステープラユニット１０７は、駆動部としてのステープラモータ１０９、電源供給コネクタ３１、インターロックスイッチ接続コネクタ３２、保護素子としての過電流保護素子１１０、スタートスイッチ１１２を有する。
【００４７】
画像記録制御部１０５は、コネクタ３０、抵抗３３〜３５、ＣＰＵ３６、電力遮断部３７、第１の電源部３８、第２の電源部３９を有する。
【００４８】
画像記録制御部１０５におけるコネクタ３０は５極コネクタである。図３において、コネクタ３０の５個のピンを上から順番に、１ピン３０−Ｐ１、２ピン３０−Ｐ２、３ピン３０−Ｐ３、４ピン３０−Ｐ４、５ピン３０−Ｐ５と表現する。
【００４９】
また、接続ケーブル１１３は、画像記録制御部１０５のコネクタ３０とステープラユニット１０７の電力供給コネクタ３１とを接続する接続部４１、インターロックスイッチ接続コネクタ３２とインターロックスイッチ１１１とを接続する接続部４２、インターロックスイッチ１１１と画像記録制御部１０５のコネクタ３０とを接続する接続部４３と、後述するコネクタ３０の第４ピン３０−Ｐ４と第５ピン３０−Ｐ５とを接続する接続部４４と、インターロックスイッチ１１１を有する。なお、接続部４１、接続部４２、接続部４３、接続部４４は、例えば導電性部材を用いたワイヤー等を適用することができる。
【００５０】
ここで、特許請求の範囲に記載の「本体装置」は、印刷装置に搭載される装置であり、ケーブルを介して接続する機器に電力供給を行うものである。この実施形態では、「装置本体」は画像記録制御部１０５を含むものである。「機器」は装置本体としての画像記録制御部１０５と接続可能な、オプション機器としてのステープラユニット１０７を含むものである。
【００５１】
また、特許請求の範囲に記載の「第１の接続部」は接続部４１を含むものであり、「第２の接続部」は接続部４２及び４３を含むものであり、「第３の接続部」は接続部４４を含むものである。
【００５２】
さらに、特許請求の範囲に記載の「第１の出力部」はコネクタ３０の１ピン３０−Ｐ１を含むものであり、「第２の出力部」はインターロックスイッチ接続コネクタ３２の１ピン３２−Ｐ１を含むものであり、「第３の出力部」はコネクタ３０の４ピン３０−Ｐ４を含むものである。
【００５３】
また、特許請求の範囲に記載の「第１の入力部」は電源供給コネクタ３１の１ピン３１−Ｐ１を含むものであり、「第２の入力部」はインターロックスイッチ接続コネクタ３２の２ピン３０−Ｐ２を含むものであり、「第３の入力部」はコネクタ３０の３ピン３０−Ｐ３を含むものであり、「第４の入力部」はコネクタ３０の５ピン３０−Ｐ５を含むものである。
【００５４】
画像記録制御部１０５における第１の電源部３８は、電力供給部１０６から供給される電源部であり、２４Ｖの電力を供給するものである。電源部３８は、電力遮断部３７と接続しており、電力遮断部３７はコネクタ３０の１ピン３０−Ｐ１と接続している。なお、リレー等の電力遮断部３７はＣＰＵ３６と接続しており、ＣＰＵ３６の制御を受けて、電力遮断部３７は第１の電源部３８からの電力を遮断する。
【００５５】
コネクタ３０の１ピン３０−Ｐ１は、電力遮断部３７と接続しており、又ステープラユニット１０７の電源供給コネクタ３１の１ピン３１−Ｐ１と接続される。
【００５６】
コネクタ３０の２ピン３０−Ｐ２は、画像記録制御部１０５の電源基準であるグランドと接続しており、又ステープラユニット１０７の電源供給コネクタ３１の２ピン３１−Ｐ２と接続している。
【００５７】
コネクタ３０の３ピン３０−Ｐ３は、インターロックスイッチ１１１の共通ピンＣとステープラユニット１０７のインターロックスイッチ１１１接続コネクタ３２の１ピン３２−Ｐ１とに接続される。また、コネクタ３０の３ピン３０−Ｐ３は、画像記録制御部１０５の抵抗３４と接続している。コネクタ３０の３ピン３０−Ｐ３は、過電流保護素子１１０の異常を検出するための信号（異常検出信号）が導通する。
【００５８】
ここで、コネクタ３０の３ピン３０−Ｐ３は、インターロックスイッチ接続コネクタ３２の１ピン３２−Ｐ１と接続しており、過電流保護素子１１０を介しており、ステープラユニット１０７が正常な場合、ステープラユニット１０７の電源電圧である２４Ｖのままとなる。コネクタ３０の３ピン３０−Ｐ３と接続する抵抗３４及び抵抗３５によりＣＰＵ３６で検出可能なロジック電圧値に分圧された信号が、ＣＰＵ３６に印加される。例えば、ステープラモータ９のショート故障等により発熱し、過電流保護素子１１０の抵抗値が増大し、過電流保護素子１１０から出力される電圧値が小さくなることで、ＣＰＵ３６に印加される電圧値も小さくなる。これにより、ＣＰＵ３６は、ステープラユニット１０７の異常を検出することができる。
【００５９】
コネクタ３０の４ピン３０−Ｐ４は、抵抗３３及びＣＰＵ３６と接続している。また、コネクタ３０の４ピン３０−Ｐ４は、コネクタ３０の５ピン３０−Ｐ５と接続部４４で、ショートするよう接続している。
【００６０】
コネクタ３０の４ピン３０−Ｐ４が接続される画像記録制御部１０５の内部は前述のロジック電圧である３．３Ｖを供給する第２の電源部３９と抵抗３３でプルアップ接続され、ＣＰＵ３６でコネクタ３０の４ピン３０−Ｐ４の電圧を検出可能に接続されている。
【００６１】
コネクタ３０の５ピン３０−Ｐ５は、画像記録制御部１０５の内部で電源基準であるグランドと接続されている。そのため、接続コネクタ１１３が画像記録制御部１０５に接続されると、コネクタ３０の４ピン３０−Ｐ４と５ピン３０−Ｐ５はショートされグランド電位（０Ｖ）となる。
【００６２】
ここで、画像記録制御部１０５において、ロジック電圧値３．３Ｖを出力する第２の電源部３９は抵抗３３を介してＣＰＵ３６と接続している。ＣＰＵ３６は、第２の電源部３９又はコネクタ３０の４ピン３０−Ｐ４からの電圧値に基づいて、画像記録制御部１０５にコネクタ３０が実装されているか否か、即ちステープラユニット１０７がＭＦＰ装置１０１に装着されているか否かを判断する。つまり、コネクタ３０の４ピン３０−Ｐ４の電圧値が０Ｖであることを検出した場合、ＣＰＵ３６はステープラユニット１０７が装着されていると判断する。また、ロジック電圧値の３．３ＶをＣＰＵ３６が検出した場合、ＣＰＵ３６はステープラユニット１０７が装着されていないと判断する。
【００６３】
なお、ステープラユニット１０７がＭＦＰ装置１１０に装着されていない場合、ＣＰＵ３６は、第２の電源部３９からロジック電圧値が印加されることで動作することができる。一方、ステープラユニット１０７がＭＦＰ装置１１０に装着されている場合、ＣＰＵ３６は、コネクタ３０の３ピン３０−Ｐ３から抵抗３４及び３５を介してロジック電圧値が印加されることで動作することができる。
【００６４】
インターロックスイッチ１１１は、３接点分岐スイッチであり、共通端子Ｃ、ＮＯ（Ｎｏｒｍａｌｌｙ  Ｏｐｅｎ）端子、ＮＣ（Ｎｏｒｍａｌｌｙ  Ｃｌｏｓｅ）端子を有する。
【００６５】
インターロックスイッチ１１１は、上述したように、ステープラカバー１０８と連動しており、ステープラカバー１０８が開状態のとき、ＮＣ端子側に接続しており、ステープラカバー１０８が閉状態のとき、ＮＯ端子側に接続している。図３では、インターロックスイッチ１１１がＮＣ端子側に接続している場合を例示している。
【００６６】
ステープラユニット１０７の電源供給コネクタ３１の１ピン３１−Ｐ１は、過電流保護素子１１０と接続しており、過電流保護素子１１０はインターロックスイッチ接続コネクタ３２の１ピン３２−Ｐ１と接続している。
【００６７】
電源供給コネクタ３１の２ピン３１−Ｐ２は、ステープラモータ１０９と接続しており、又コネクタ３０の２ピン３０−Ｐ２と接続している。
【００６８】
インターロックスイッチ接続コネクタ３２の１ピン３２−Ｐ１は、過電流保護素子１１０と接続している。また、インターロックスイッチ接続コネクタ３２の１ピン３２−Ｐ１は、インターロックスイッチ１１１の共通端子Ｃとコネクタ３０の３ピン３０−Ｐ３と接続している。
【００６９】
インターロックスイッチ接続コネクタ３２の２ピン３２−Ｐ２は、インターロックスイッチ１１１のＮＯ端子と接続しており、又スタートスイッチ１１２と接続している。
【００７０】
ステープラユニット１０７において、スタートスイッチ１１２は、インターロックスイッチ接続コネクタ３２の２ピン３２−Ｐ２と接続しており、又ステープラモータ１０９と接続している。
【００７１】
ステープラモータ１０９は、スタートスイッチ１１２と接続しており、又電源供給コネクタ３２の２ピン３２−Ｐ２と接続しており、コネクタ３１の２ピンを介して、画像記録制御部１０５内部のグランドと接続するよう結線されている。
【００７２】
このように、ステープラスイッチ１０７は、画像記録制御部１０５からＤＣ２４Ｖの電力供給を受け、過電流保護素子１１０を経由して、インターロックスイッチ１１１とスタートスイッチ１１２とが直列に接続された後に、ステープラモータ１０９に接続されている。
【００７３】
（Ａ−２）第１の実施形態の動作
図４は、第１の実施形態に係るＭＦＰ装置１０１における動作を示すフローチャートである。
【００７４】
まず、ＭＦＰ装置１０１において電源ＯＮされると（Ｓ８０１）、電力供給部１０６は画像記録制御部１０５へ電力供給を開始し、ＭＦＰ装置１０１が起動する。
【００７５】
電力供給を受けた画像記録制御部１０５は、ＭＦＰ装置１０１の状態を自己診断して異常の有無を確認して初期設定を行なう（Ｓ８０２）。
【００７６】
ここで、この段階では、ＣＰＵ３６により、電力遮断部３７は遮断状態に制御されている。そのため、ステープラユニット１０７の電源供給コネクタ３１に電力は供給されていない。
【００７７】
Ｓ８０２の初期設定の後、Ｓ８０３に進み、画像記録制御部１０５のＣＰＵ３６は、ステープラユニット１０７が実装されているか否かを確認する。
【００７８】
つまり、接続ケーブル１１３によりステープユニット１０７が実装されている場合（コネクタ３０が実装されている場合）、画像記録制御部１０５のコネクタ３０の４ピン３０−Ｐ４は、コネクタ３０の５ピン３０−Ｐ５とショートするように接続される。コネクタ３０の４ピン３０−Ｐ４が接続される画像記録制御部１０５の内部では、前述のロジック電圧値である３．３Ｖと抵抗３３でプルアップ接続され、ＣＰＵ３６がコネクタ３０の４ピン３０−Ｐ４の電圧値を検出することで、ステープラユニット１０７が実装されているか否かを確認する。
【００７９】
コネクタ３０が実装されていない場合、コネクタ３０の４ピン３０−Ｐ４の電圧は、プルアップ抵抗３３で決定されるロジック電圧の３．３Ｖとなる。従って、ＣＰＵ３６がロジック電圧の３．３Ｖを検出したときに、ステープラユニット１０７が装着されていないと判断する。この場合、異常検出する必要がないため、Ｓ８０４へ進み、ＣＰＵ３６は通常通りの印刷動作を開始する。
【００８０】
一方、コネクタ３０が実装されている場合、コネクタ３０の５ピン３０−Ｐ５は、画像記録制御部１０５の内部で電源基準であるグランドと接続しているため、コネクタ１１３が画像記録制御部１０５に接続されているとコネクタ３０の４ピン３０−Ｐ４と５ピン３０−Ｐ５はショートされグランド電位（０Ｖ）となる。従って、ＣＰＵ３６が０Ｖを検出したときに、ステープラユニット１０７は装着されていると判断する。
【００８１】
この場合、Ｓ８０５へ進み、ステープラユニット１０７を使用可能状態とするために、ＣＰＵ３６は電力遮断部３７を通電状態に制御して、２４Ｖの電力をステープラユニット１０７へ供給して、ステープラユニット１０７を電源ＯＮとする。
【００８２】
その後、画像記録制御部１０５のＣＰＵ３６は、ステープラユニット１０７からの異常信号の有無を判断する（Ｓ８０６）。
【００８３】
ステープラユニット１０７への電力供給が開始されると、コネクタ３０の１ピン３０−Ｐ１からステープラユニット電源コネクタ３１の１ピン３１−Ｐ１に２４Ｖの電力が供給される。
【００８４】
電力供給された２４Ｖの電力は、過電流保護素子１１０を通過し、コネクタ３２を介してインターロックスイッチ１１１の共通端子Ｃへ供給されると共に、抵抗３４及び抵抗３５で分圧された電圧がＣＰＵ３６へ供給される。
【００８５】
ここで、ステープラユニット１０７に供給された２４Ｖの電力に異常なく過電流が発生していない状態では、過電流保護素子１１０は保護動作を行わない。そのため、過電流保護素子１１０の抵抗値は十分に低くコネクタ３０の３ピン３０−Ｐ３には、コネクタ３０の１ピンとほぼ変わらない２４Ｖの電圧が供給される。
【００８６】
その結果、抵抗３４及び抵抗３５で２４Ｖの電圧を分圧したロジック電圧程度の３．３ＶをＣＰＵ３６が検出することで、ＣＰＵ３６は異常がないことを判断する。
【００８７】
しかし、ステープラカバー１０８が閉状態であり、インターロックスイッチ１１１がＮＯ端子に接続されている状態で、かつ、ステープラモータ１０９やスタートスイッチ１１２に異常がある場合、過電流保護素子１１０は過電流によって温度が上昇するため高抵抗となる。
【００８８】
過電流が発生している場合は過電流保護素子１１０よりも下流のステープラモータ１０９までの経路でショートが発生していることになる。そのため、コネクタ３０の３ピン３０−Ｐ３は２４Ｖの電圧は供給されなくなり、画像記録制御部１０５の内部の抵抗３４及び抵抗３５で分圧された電圧は０Ｖ程度の低い値がＣＰＵ３６に入力される。そのため、ＣＰＵ３６はステープラユニット１０７の異常を検出することができる。
【００８９】
ＣＰＵ３６が異常を検出すると、即座にＳ８０７へ進み、ＣＰＵ３６は電力遮断部３７を遮断状態へ制御し、ステープラユニット１０７への電力供給を遮断して、ステープラユニット１０７を電源ＯＦＦとする。
【００９０】
このように、ステープラユニット１０７の安全を確保した後、Ｓ８０８へ進み、ユーザーに修理が必要であることを知らせるため、オペレーションパネル１２３ヘステープラユニット１０７が異常であることを出力（表示）する。なお、ユーザーに修理が必要であることを注意喚起させるための出力方法は、オペレーションパネル１２３上の表示画面に限定されるものではなく、ブザー音の出力や、例えばＬＥＤランプ等のランプの点灯や点滅等を行うようにしても良い。
【００９１】
ステープラユニット１０７はオプション機器であるため、ステープラ動作ができないだけで、画像記録部１０４の印刷動作が不可能になってしまうと、ユーザーの利便性を大きく損なう。そのため、ステープラカバー１０８を開放しインターロックスイッチ１１１をＮＣ端子側（被通電側）にすることで、ステープラモータ１０９への過電流を遮断する。このようにして、通常の印刷動作を行えるようにする（Ｓ８０４）。なお、修理を行ない異常が回復するまで、一時的に異常状態検出の解除が可能であることをユーザーに注意喚起させるための出力を行うようにしても良い。
【００９２】
また、上述した実施形態の動作では、異常を検出してから電力遮断装置３７を遮断状態に制御し、電力供給を遮断する例を説明した。しかし、異常検出結果を画像記録制御部１０５内部のメモリに異常情報を記憶しておき、異常のステープラユニット１０７を修理完了したことをオペレーションパネル１２３で入力できるようにする。そして、異常検出情報をリセットするまでＭＦＰ装置１０１の電源ＯＮ後のステープラユニット１０７実装確認後に、ステープラユニット電源ＯＮを行なわないように、ＣＰＵ３６は電力遮断部３７が遮断状態を継続するよう制御するようにしても良い。この変形実施形態によっても、安全性を確保することができる。
【００９３】
（Ａ−３）第１の実施形態の効果
以上のように、第１の実施形態によれば、過電流保護素子を搭載したオプション機器に、異常を検出する専用回路を備えなくても、簡素な回路でオプション機器の安全装置が働いたことをＭＦＰ装置は検出し、ユーザーにオプション機器の異常を的確に通知できる。
【００９４】
また、ステープラユニットヘ電力を供給する機能と、ステープラカバーの開閉に連動して動作するインターロックスイッチの機能と、過電流保護素子の安全を検出する機能を統合することでオプション機器に専用の回路を搭載することなく装置構造の簡素化が可能となる。
【００９５】
（Ｂ）第２の実施形態
次に、本発明の印刷装置の第２の実施形態を、図面を参照しながら詳細に説明する。
【００９６】
第２の実施形態も、第１の実施形態と同様に、ＭＦＰ装置に本発明を適用する場合を例示して説明する。
【００９７】
（Ｂ−１）第２の実施形態の構成
第２の実施形態に係るＭＦＰ装置も、第１の実施形態に係るＭＦＰ装置１０１と同一又は対応する装置とすることができる。そのため、第２の実施形態においても、図１を用いて説明する。また、第２の実施形態では、ＭＦＰ装置１０１Ａと称して説明する。
【００９８】
以下では、第１の実施形態で説明した構成との相違点を中心に説明する。
【００９９】
図５は、第２の実施形態に係るＭＦＰ装置１０１Ａのステープラユニット１０７への電源供給に関する接続関係を説明する説明図である。
【０１００】
図５に示すように、ＭＦＰ装置１０１Ａにおいて、電力供給部１０６は、画像記録部１０４を制御する画像記録制御部１０５Ａと接続しており、ステープラユニット１０７は画像記録制御部１０５Ａを介して電源供給されている。
【０１０１】
図６は、第２の実施形態に係るステープラユニット１０７と画像記録制御部１０５Ａと接続ケーブル１１３の構成を示すブロック図である。
【０１０２】
図６において、ステープラユニット１０７は、ステープラモータ１０９、電源供給コネクタ３１、インターロックスイッチ接続コネクタ３２、過電流保護素子１１０、スタートスイッチ１１２を有する。
【０１０３】
上述したように、ステープラユニット１０７と画像記録制御部１０５とは、接続ケーブル１１３を介して接続している。
【０１０４】
ステープラユニット１０７は、ステープラモータ１０９、電源供給コネクタ３１、インターロックスイッチ接続コネクタ３２、過電流保護素子１１０、スタートスイッチ１１２を有する。
【０１０５】
画像記録制御部１０５Ａは、コネクタ３０、抵抗３３〜３５、ＣＰＵ３６Ａ、第１の電源部３８、第２の電源部３９を有する。
【０１０６】
接続ケーブル１１３は、画像記録制御部１０５のコネクタ３０とステープラユニット１０７の電力供給コネクタ３１とを接続する接続部４１、インターロックスイッチ接続コネクタ３２とインターロックスイッチ１１１とを接続する接続部４２、インターロックスイッチ１１１と画像記録制御部１０５のコネクタ３０とを接続する接続部４３、インターロックスイッチ１１１を有する。
【０１０７】
第１の実施形態との相違点は、第１の実施形態に係る画像記録制御部１０５の内部に電力遮断部３７がない点、第１の実施形態に係る画像記録制御部１０５の内部のＣＰＵ３６Ａが省電力モードを有しており、ＣＰＵ３６Ａが省電力モードの旨を電力供給部１０６へ通知可能であり、省電力モードヘの移行指示を受けた電力供給部１０６が画像記録制御部１０５の２４Ｖ電源を遮断することでステープラユニット１０７の電力を遮断可能な結線となっている点である。
【０１０８】
まず、図５において、画像記録制御部１０５Ａで使用する電力は、接続ケーブル１１４内に備えられる２４Ｖ供給線と３．３Ｖ供給線で電力供給部１０６から供給される。
【０１０９】
オプション機器であるステープラユニット１０７は接続ケーブル１１３で画像記録制御部１０５Ａと接続しており、ステープラユニット１０７は、２４Ｖ供給ケーブル１１４及び画像記録制御部１０５Ａ経由で電力供給部１０６から電力供給を受けている。
【０１１０】
画像記録制御部１０５Ａは電力供給部１０６から複数の電力供給を受けている。
【０１１１】
第１は、電力供給部１０６から接続ケーブル１１４内に備えられる２４Ｖ供給線を介して画像記録部１０４のモータ等アクチュエータに使用する電力である２４Ｖであり、画像記録制御部１０５Ａを介してステープラユニット１０７への電力供給を受けている。
【０１１２】
この２４Ｖの電力は、ＭＦＰ装置１０１が待機状態である省電力モードヘ移行したときに、ＣＰＵ３６Ａからの指示を接続ケーブル１１４内部の制御信号で電力供給部１０６に通知することができる。電力供給部１０６は、上記制御信号を受信することで２４Ｖの電力供給をＯＦＦにすることができる。
【０１１３】
待機時に省電力モードヘ移行する制御は、画像記録制御部１０５全体の制御を司るＣＰＵ３６Ａが制御している。ＣＰＵ３６Ａが省電力モードへ移行可能であると判断されると、ＣＰＵ３６Ａは電力供給部１０６へ２４Ｖ電力の供給遮断を指示することが可能なように結線されている。
【０１１４】
第２は、画像記録制御部１０５Ａは電力供給部１０６から接続ケーブル１１４内に備えられる３．３Ｖ供給線を介して画像記録制御部１０５Ａ全体の制御を司るＣＰＵ３６の電力であるロジック電圧３．３Ｖの供給も受けている。
【０１１５】
この３．３Ｖの電力は省電力モードでも遮断されることがなく、電力供給部１０６が商用電源からの電力供給を遮断されるまで電力供給が継続される。
【０１１６】
そのため、ＭＦＰ装置１０１の待機状態では２４Ｖの電力消費は遮断されるが、ロジック電圧３．３Ｖの供給は継続しているため画像記録制御部１０５Ａは印刷命令を受信することが可能であり、印刷命令を受信した際にはＣＰＵ３６Ａの指示を電力供給部１０６に送信することで画像記録制御部１０５Ａへ２４Ｖ電力供給を再開できるようになっている。
【０１１７】
ステープラユニット１０７は、ステープラカバー１０８、ステープラモータ１０９とインターロックスイッチ１１１、スタートスイッチ１１２、過電流保護素子１１０を有する。過電流保護素子１１０は、第１の実施形態と同様に、ＰＴＣサーミスタ等を用いることができる。
【０１１８】
ステープラユニット１０７は、画像記録制御部１０５Ａから２４Ｖの電力供給を受け、過電流保護素子１１０を経由してインターロックスイッチ１１１、スタートスイッチ１１２が直列に接続された後に、ステープラモータ１０９に接続されステープラモータ１０９を回転させることでステープル動作を行っている。
【０１１９】
過電流保護素子１１０は、例えばモータがショート故障し回転動作できなくなった場合に大電流が流れ電力供給源である電力供給部１０６を破損してしまう可能性がある。そのため、被害をオプション機器であるステープラユニット１０７だけに留めるようステープラユニット１０７の電源入力部に備えられている。
【０１２０】
過電流保護素子１１０は過電流が発生すると発熱し、発熱に伴って抵抗値が増加するため電流を絞るように動作することで過電流を抑制する。
【０１２１】
ステープラカバー１０８は、第１の実施形態と同様に、インターロックスイッチ１１１と連動している。ステープラカバー１０８が開状態ではインターロックスイッチ１１１がステープラモータ１０９への電力供給を遮断するよう動作する。
【０１２２】
スタートスイッチ１１２は、ステープラカバー１０８の内側に備えられ、印刷物をステープル位置にセットしたことを検知してステープル動作を開始するためのスイッチである。
【０１２３】
以上より、電源供給部１０６から電力供給を受けたステープラユニット１０７は、過電流保護素子１１０が正常であり、ステープラカバー１０８が閉状態でインターロックスイッチ１１１がＯＮ状態であり、ステープルを利用する印刷物がセットされることで、スタートスイッチ１１２がＯＮ（導通）した場合に正常なステープラモータ１０９が回転することで、ステープル動作が実行される。
【０１２４】
ただし、スタートスイッチ１１２はステープラモータ１０９と連動し、スタートスイッチ１１２がＯＮした状態が継続しても、ステープラモータ１０９が一定量回転し、ステープル動作が１回完了するとＯＦＦを継続するように構成されている。そのため、ステープル動作完了後もステープラモータ１０９は回転を継続することはない。
【０１２５】
接続ケーブル１１３は、ステープラユニット１０７と画像記録制御部１０５Ａを接続する３つのコネクタと１つの３接点分岐スイッチであるインターロックスイッチ１１１を接続するものである。
【０１２６】
画像記録制御部１０５Ａと接続するコネクタ３０は５極のコネクタである。
【０１２７】
１ピン３０−Ｐ１は画像記録制御部１０５Ａからステープラユニット１０７へ２４Ｖ電源を供給するためのピンである。コネクタ３０の１ピン３０−Ｐ１はステープラユニット１０７の電源供給コネクタ３１の１ピン３１−Ｐ１と接続される。ステープラユニット１０７の電源供給コネクタ３１の１ピン３１−Ｐ１は過電流保護素子１１０に接続された後、インターロックスイッチ接続コネクタ３２の１ピン３２−Ｐ１に接続される。また、コネクタ３０の１ピン３０−Ｐ１が接続される画像記録制御部１０５Ａ内部では電力供給部１０６から供給を受ける２４Ｖが接続されている。
【０１２８】
コネクタ３０の２ピン３０−Ｐ２は、画像記録制御部１０５Ａの電源基準であるグランドと接続される。
【０１２９】
コネクタ３０の３ピン３０−Ｐ３は、過電流保護素子１１０の異常を検出するための信号が接続され、インターロックスイッチ１１１の共通端子Ｃとステープラユニット１０７のインターロックスイッチ１１１接続コネクタ３２の１ピン３２−Ｐ１に接続される。
【０１３０】
コネクタ３０の３ピン３０−Ｐ３ではコネクタ３２の１ピン３０−Ｐ１経由で過電流保護素子１１０を介して接続される。しかし、過電流の発生がない正常状態では過電流保護素子１１０の抵抗値は非常に低いため、コネクタ３０の３ピン３０−Ｐ３ではステープラの電源電圧である２４Ｖのまま画像記録制御部１０５Ａへ入力されることとなる。
【０１３１】
そのため、画像記録制御部１０５Ａ内部で抵抗３４と抵抗３５によりＣＰＵ３６Ａで検出可能なロジック電圧３．３Ｖに分圧された信号がＣＰＵ３６Ａに入力されるよう接続される。過電流保護素子１１０の抵抗値が低い場合は抵抗３４と抵抗３５で２４Ｖからロジック電圧の３．３Ｖに分圧された信号が入力される。しかし、過電流が発生する異常状態では過電流保護素子１１０が高抵抗となるため、過電流保護素子１１０と抵抗３４、抵抗３５で分圧される電圧を検出するが、過電流保護素子１１０の抵抗値が十分に大きい。そのため、ＣＰＵ３６Ａで検出される電圧はほぼ０Ｖ程度の値になる。
【０１３２】
以上より、ＣＰＵ３６Ａは分圧で入力された電圧を信号として異常検出が可能になっている。
【０１３３】
コネクタ３０の４ピン３０−Ｐ４は、コネクタ３０の５ピン３０−Ｐ５と接続部４４でショートするよう接続される。
【０１３４】
コネクタ３０の４ピン３０−Ｐ４が接続される画像記録制御部１０５の内部は前述のロジック電圧である３．３Ｖと抵抗３３でプルアップ接続され、ＣＰＵ３６Ａでコネクタ３０の４ピン３０−Ｐ４の電圧を検出可能に接続されている。
【０１３５】
また、コネクタ３０の５ピン３０−Ｐ５は画像記録制御部１０５Ａの内部で電源基準であるグランドと接続されているため、接続コネクタ１１３が画像記録制御部１０５に接続されるとコネクタ３０の４ピン３０−Ｐ４と５ピン３０−Ｐ５はショートされグランド電位（０Ｖ）となる。
【０１３６】
コネクタ３０が実装されている場合、即ちステープラユニット１０７がＭＦＰ装置１０１に装着されている場合にはコネクタ３０の４ピン３０−Ｐ４の電圧をＣＰＵ３６Ａが検出することで０Ｖであればステープラユニット１０７は装着されている、ロジック電圧の３．３Ｖが検出されればステープラユニット１０７は装着されていないと判断することが可能なように接続されている。
【０１３７】
ステープラユニット１０７に備えられるインターロックスイッチ接続コネクタ３２の２ピン３２−Ｐ２は、インターロックスイッチ１１１のＮＯ端子に接続される。また、インターロックスイッチ１１１のＮＣ端子は開放ピンとしてみ接続としている。
【０１３８】
インターロックスイッチ接続コネクタ３２の２ピン３２−Ｐ２は、ステープラユニット１０７内部ではスタートスイッチ１１２と接続された後、ステープラモータ１０９と接続される。
【０１３９】
ステープラモータ１０９は、コネクタ３１の２ピンと接続され画像記録制御部１０５内部のグランドと接続されるよう結線されている。
【０１４０】
（Ｂ−２）第２の実施形態の動作
図７は、第２の実施形態に係るＭＦＰ装置１０１Ａにおける動作を示すフローチャートである。
【０１４１】
まず、Ｓ９０１で、ＭＦＰ装置１０１Ａが電源ＯＮされると、電力供給部１０６が接続ケーブル１１４を介して画像記録制御部１０５Ａへ電力供給を開始してＭＦＰ装置１０１Ａを起動させる。
【０１４２】
第２の実施形態では、第１の実施形態に係る図３の電力遮断部３７が存在しない。そのため、Ｓ９０１の段階でコネクタ３０の１ピン３０−Ｐ１からステープラユニット１０７の電源供給コネクタ３１の１ピン３１−Ｐ１に２４Ｖの電力が供給される。
【０１４３】
電力供給された２４Ｖの電力は、過電流保護素子１１０を通過しコネクタ３２を介してインターロックスイッチ１１１の共通端子Ｃへ供給されると共に、抵抗３４と抵抗３５で分圧された電圧がＣＰＵ３６へ供給される。
【０１４４】
次に、Ｓ９０２で、電力供給を受けた画像記録制御部１０５はＭＦＰ装置１０１Ａの状態を自己診断し、異常がないかチェックしてＭＦＰ装置１０１Ａ全体の初期設定を行う。
【０１４５】
ここで、供給された電力に異常なく過電流が発生していない状態では、過電流保護素子１１０は保護動作を行わず、電源電圧２４Ｖを抵抗３４と抵抗３５で分圧したロジック電圧の３．３ＶをＣＰＵ３６Ａは検出して異常がないことを判断する。
【０１４６】
Ｓ９０３で、ＣＰＵ３６はステープラユニット１０７の実装を確認する。
【０１４７】
ステープラユニット１０７が実装状態である場合、コネクタ３０の４ピン３０−Ｐ４はコネクタ３０の５ピン３０−Ｐ５とショートするよう接続されることになる。
【０１４８】
コネクタ３０の４ピン３０−Ｐ４が接続される画像記録制御部１０５Ａの内部は前述のロジック電圧である３．３Ｖと抵抗３３でプルアップ接続され、ＣＰＵ３６がコネクタ３０の４ピン３０−Ｐ４の電圧を検出可能に接続されている。
【０１４９】
コネクタ３０の５ピン３０−Ｐ５は画像記録制御部１０５Ａの内部で電源基準であるグランドと接続されているため、接続コネクタ１１３が画像記録制御部１０５Ａに接続されると、コネクタ３０の４ピン３０−Ｐ４と５ピン３０−Ｐ５はショートされグランド電位（０Ｖ）となる。
【０１５０】
コネクタ３０が実装されている場合、即ちステープラユニット１０７がＭＦＰ装置１０１Ａに装着されている場合には、コネクタ３０の４ピン３０−Ｐ４の電圧をＣＰＵ３６Ａが検出し、０Ｖであれば、ステープラユニット１０７は装着されているとＣＰＵ３６Ａは判断する。
【０１５１】
ステープラユニット１０７が実装されていない場合、コネクタ３０の４ピン３０−Ｐ４の電圧としてプルアップ抵抗３４で決定されるロジック電圧の３．３ＶをＣＰＵ３６Ａが検出すると、ＣＰＵ３６Ａはステープラユニット１０７が装着されていないと判断する。
【０１５２】
このＳ９０３の処理を初期設定直後に行う理由は、接続ケーブル１１３が接続されていない場合、即ちステープラユニット１０７が未実装の場合には、コネクタ３０の３ピン３０−Ｐ３も未接続となる。ＣＰＵ３６Ａは抵抗３４と抵抗３５で電圧が発生していないため、過電流保護素子１１０が高抵抗状態と区別が付かずに異常状態と検出してしまうためである。
【０１５３】
ステープラユニット１０７が未実装の場合には、異常検出する必要はないため、Ｓ９０４へ進み、ＣＰＵ３６Ａは通常通りの印刷動作を開始するよう制御する。
【０１５４】
しかし、ステープラユニット１０７が実装されていると判別された場合、Ｓ９０５へ進み、ステープラユニット１０７が過電流を発生し、過電流保護素子１１０による保護動作していないかについて、抵抗３４と抵抗３５で分圧したロジック電圧の３．３ＶをＣＰＵ３６Ａが検出して判断する。
【０１５５】
異常があるとＰＴＣサーミスタである保護素子１１０は過電流によって温度が上昇し高抵抗となることで電流を遮断するように動作している。そのため、過電流保護素子１１０よりも下流のステープラモータ１０９までの経路でショートが発生していることになる。コネクタ３０の３ピン３０−Ｐ３は２４Ｖの電圧が供給されなくなり、画像記録制御部１０５Ａ内部の抵抗３４、抵抗３５で分圧された電圧は０Ｖ程度の低い値がＣＰＵ３６Ａに入力される。そのため、ＣＰＵ３６はステープラユニット１０７の異常を検出する。
【０１５６】
ＣＰＵ３６で異常が検出されたら、即座にＳ９０６へ進み、印刷動作をそのまま続けるために、印刷ジョブを受け付けているかを確認する。
【０１５７】
印刷ジョブを受け付けた後に異常を検出している場合は、それ以降印刷ジョブの受付は行わずに、画像記録制御部１０５Ａは受け付けた印刷ジョブを完了させ、画像記録制御部１０５Ａは、ユーザーに修理が必要である旨を伝えるために、オペレーションパネル１２３ヘステープラユニット１０７が異常であることを出力（表示）する。
【０１５８】
印刷ジョブが受け付けていなければ、即座にＳ９０８へ移行し、画像記録制御部１０５Ａは操作パネル１２３ヘステープラユニット１０７が異常であることを表示して、ユーザーヘ修理が必要であることを伝える。
【０１５９】
その後、画像記録制御部１０５Ａは、所定時間（例えば３０秒間）、操作パネル１２３にステープラユニット１０７が異常であることを表示させた後、Ｓ９０９へ進み、画像記録制御部１０５のＣＰＵ３６が省電力モードヘ移行するよう電力供給部１０６へ２４Ｖ電力の供給遮断を指示する。
【０１６０】
その結果、省電力モードヘ移行したことによりステープラユニット１０７へ供給される２４Ｖの電力が遮断されるため、ステープラユニット１０７で発生している過電流も解消され安全が確保される。
【０１６１】
その後、省電力モードのままではＭＦＰ装置１０１Ａ本来の印刷機能が利用できなくなってしまう。そのため、操作パネル１２３に設けられた省電力復帰ボタン等の押下によってのみ、再起動が可能な状態としておくようにしても良い。これは、ＭＦＰ装置１０１Ａへの印刷要求を、例えばＬＡＮやＵＳＢ信号等によってユーザーが送信してしまうと、印刷ジョブを受付けて印刷動作完了させた後、再び省電力モードに移行してしまう。そうすると、ユーザーはステープラユニット１０７が異常である警告を気づけない可能性が高いため、ユーザーにＭＦＰ装置１０１Ａの前に立ってもらい、オペレーションパネル１２３の異常警告画面の表示確認を促す目的もある。
【０１６２】
省電力モード移行後、ユーザーによって電源ボタンが押下されると、再びＳ９０１から処理がスタートする。
【０１６３】
ステープラユニット１０７の修理が完了していれば異常検出されることなくＳ９０４へ進み通常印刷動作を行う。しかし、ステープラユニット１０７の修理が完了せずに省電力モードから復帰させてしまうと、再び異常検出信号のチェックを行うためＣＰＵ３６Ａは異常を検出するため、Ｓ９０８で操作パネル１２３に異常を表示後Ｓ９０９で省電力モードへ移行してしまう。ステープラ動作ができないだけで印刷動作が不可能になってしまっては利便性を大きく損なってしまう。
【０１６４】
そのため、省電力モードヘ移行する直前に表示しておくステープラユニット１０７の異常警告と同時にステープラカバー１０８を開放することで修理を行うまで、一時的に異常状態検出の解除が可能であることを同時に表示しておくようにしても良い。
【０１６５】
これは、ユーザーにステープラカバー１０８を開放することで異常のチェックも促すことができるだけでなく異常状態で発生する過電流は、ステープラモータ１０９やスタートスイッチ１１２の異常によって発生するため、過電流に対してインターロックスイッチ１１１を開放させることを目的としている。
【０１６６】
インターロックスイッチ１１１をＮＣ端子側と接続させるよう切り替えることでステープラモータ１０９やスタートスイッチ１１２への電力を遮断し、過電流保護素子１１０への過電流状態が解消され冷却されるため、過電流保護素子は保護動作を終了する。
【０１６７】
画像記録制御部１０５Ａ内の抵抗３４、抵抗３５へ通常通りの２４Ｖ電源が印加されるようになるため、ＣＰＵ３６Ａは異常なしと判断するようになる。その結果、ＭＦＰ装置１０１Ａ本来の印刷機能を利用可能となる。
【０１６８】
（Ｂ−３）第２の実施形態の効果
以上のように、第２の実施形態によれば、第１の実施形態の効果に加えて、省電力モードによってステープラユニットの電源を遮断する構成とし、故障時のみしか使用しない過電流を遮断するための電力遮断部が不要になる。
【０１６９】
第１の実施形態と同様の効果として、ステープラモータの故障を保護するために設けられた正の温度係数を持つ非線形インピーダンス素子（ポリスイッチ等）が保護動作を開始した場合に、ステープラユニットの故障であることをユーザーヘ通知した後、省電力モードヘ移行することで安全に電源を遮断させ、ユーザーヘ危険を回避するよう通知でき安全を確保できる。
【０１７０】
また、ステープラカバーをオープンすることでインターロックスイッチを開放させることでＭＦＰ装置本来の印刷機能も継続して利用可能になっている。
【０１７１】
第１の実施形態の効果と同様に、ステープラユニットヘ電力を供給する機能と、ステープラカバーの開閉に連動して動作するインターロックスイッチの機能と、過電流保護素子の安全を検出する機能を統合することでオプション機器に専用の回路を搭載することなく構造の簡素化が可能となる。
【０１７２】
（Ｃ）他の実施形態
上述した各実施形態においても種々の変形実施形態を言及したが、本発明は、以下の変形実施形態にも適用できる。
【０１７３】
（Ｃ−１）上述した各実施形態では、オプション機器がステープラユニットである場合を例示した。しかし、オプション機器は、過電流保護素子およびモータを備える機器であれば広く適用することができる。例えば、オプション機器は、裁断機、電動パンチ等のように、電流保護素子およびモータを備えるオプション機器として幅広く適用可能である。
【０１７４】
（Ｃ−２）上述した各実施形態において、オプション機器としてのステープラユニットは、１個のモータ（ステープラモータ）を設ける場合を例示したが、複数のモータを備えるものであっても良い。また、印刷装置本体に搭載するオプション機器は複数台であっても良く、各オプション機器について接続ケーブル１１３を用いて接続できるようにしても良い。
【０１７５】
（Ｃ−３）上述した各実施形態では、ＣＰＵが、コネクタ３０の第３ピン３０−Ｐ３からの電力に基づいて異常の有無を判断する場合を例示した。ＣＰＵが異常を判断する場合、コネクタ３０の第３ピン３０−Ｐ３からの電力及び第４ピン３０−Ｐ４の電力に基づいて判断するようにしても良い。
【符号の説明】
【０１７６】
１０１及び１０１Ａ…ＭＦＰ装置、１０６…電力供給部、
１０７…ステープラユニット、１０８…ステープラカバー、１０９…ステープラモータ、１１０…過電流保護素子、１１２…スタートスイッチ、１１４…接続ケーブル、
１０５及び１０５Ａ…画像記録制御部、３６及び３６Ａ…ＣＰＵ、３３、３４、３５…抵抗、
１１３…接続ケーブル、１１１…インターロックスイッチ、３０…コネクタ、３１…電源供給コネクタ、３２…インターロックスイッチ接続コネクタ。
【図１】
2015208917.tif 000003
【図２】
2015208917.tif 000004
【図３】
2015208917.tif 000005
【図４】
2015208917.tif 000006
【図５】
2015208917.tif 000007
【図６】
2015208917.tif 000008
【図７】
2015208917.tif 000009